(57)【要約】【課題】  周囲環境等に応じて輝度を調整する機能を有する有機ＥＬディスプレイ装置の駆動装置において、高いリニアリティで輝度調整できるようにする。【解決手段】  コントローラ１３は、Ｄ−Ａ変換回路１５および信号電極ドライバ１２に対して、輝度を表すデータであるｌａｄｊ（電流設定値）を出力する。Ｄ−Ａ変換回路１５は、ｌａｄｊをアナログ信号に変換しアナログ信号をプリチャージ電圧生成回路１６に出力する。プリチャージ電圧生成回路１６は、電源電圧ＶＣＣを、アナログ信号の振幅（ｌａｄｊの値に相当）に応じた値に変換し、変換した値の電圧をプリチャージ電圧ＶＰとして信号電極ドライバ１２に供給する。よって、プリチャージ電圧ＶＰは、輝度を表すデータであるｌａｄｊに応じた値に制御される。【選択図】  図１
2006308616.tif 000002
【特許請求の範囲】
【請求項１】
複数の陽極と複数の陰極とが交差するように配置され、その交差部分のそれぞれが有機ＥＬ素子を有する画素とされた有機ＥＬディスプレイ装置を単純マトリクス駆動法によって駆動し、選択期間における初期の所定期間または選択期間に先立つ所定期間に少なくとも点灯画素に接続された陽極にプリチャージ電圧を印加し、有機ＥＬ素子に流れる電流を制御することによって有機ＥＬディスプレイ装置の輝度を調整する有機ＥＬディスプレイ装置の駆動装置において、
目標とする輝度に応じて有機ＥＬ素子に流す電流に応じてプリチャージ電圧を設定するプリチャージ電圧設定手段を備えた
ことを特徴とする有機ＥＬディスプレイ装置の駆動装置。
【請求項２】
プリチャージ電圧設定手段は、プリチャージ電圧を、輝度に応じて有機ＥＬ素子に流す電流に応じた駆動電圧に等しくするように制御する
請求項１記載の有機ＥＬディスプレイ装置の駆動装置。
【請求項３】
プリチャージ電圧設定手段は、有機ＥＬ素子に流す電流に応じて駆動電圧がリニアに変化するように、有機ＥＬ素子に流す電流に応じてプリチャージ電圧を設定する
請求項１または請求項２記載の有機ＥＬディスプレイ装置の駆動装置。
【発明の詳細な説明】
【技術分野】
【０００１】
本発明は、有機ＥＬディスプレイ装置の駆動装置に関し、特に、プリチャージ駆動を行う駆動装置に関する。
【背景技術】
【０００２】
有機エレクトロルミネッセンス発光素子（以下、有機ＥＬ素子という。）は、陽極と陰極との間に有機薄膜を有する構造を持つ。陰極が陽極よりも高電位となるように両電極間に電圧を印加しても、有機薄膜にはほとんど電流が流れず、有機薄膜は発光しない。逆に、陽極が陰極よりも高電位となるように両極間に所定電圧（発光開始電圧）以上の電圧を印加すると、有機薄膜に電流が流れ、有機薄膜は発光する。このような有機ＥＬ素子をマトリクス状に配列した有機ＥＬディスプレイ装置が、実用に供されつつある。
【０００３】
有機ＥＬ素子の有機薄膜に定電圧を印加して発光させる場合、その発光輝度は温度変化や経時変化等により大きく変動する。しかし、定電流を流して発光させる場合には、発光輝度の変動は小さい。そこで、一般に、有機ＥＬ素子によって表示を行う有機ＥＬディスプレイ装置では、駆動装置に定電流回路が設けられ、各有機ＥＬ素子に定電流が供給される。
【０００４】
有機ＥＬ素子は容量性の素子であり、その等価回路は、発光部としてのダイオードと容量成分（寄生容量）とが並列接続されたものとして表現される。すると、発光部がマトリクス状に配列されたマトリクスディスプレイを駆動する方法として一般に用いられている単純マトリクス駆動法を使用すると、選択期間における初期の期間では有機ＥＬ素子に供給される電流が寄生容量を充電するために使用される。その結果、選択期間における初期の期間では発光部としてのダイオードに流れる電流は少なく、発光が不十分になるという問題がある。
【０００５】
そのような問題を解消するために、選択期間における初期の期間において、または選択期間が開始される前に所定の期間を設け、その期間（プリチャージ期間）において陽極ドライバ（陽極駆動回路）から全ての陽極に定電圧を印加する駆動法が用いられることがある（例えば、特許文献１参照）。以下、このような駆動法をプリチャージ駆動と呼ぶ。また、プリチャージ期間において有機ＥＬ素子に印加される電圧をプリチャージ電圧と呼ぶことにする。
【０００６】
なお、選択期間における初期の期間においてプリチャージ期間を設けて定電圧を印加することと、選択期間が開始される前の所定の期間をプリチャージ期間として定電圧を印加することとは、選択期間の定義の仕方が異なるだけで、実質的に同じである。すなわち、定電圧を印加する期間を、選択期間内と捉えるのか、選択期間外と捉えるのかの違いである。以下、特に断らない限り、プリチャージ期間は選択期間における初期の期間であるとして説明を進める。
【０００７】
また、有機ＥＬディスプレイ装置には、有機ＥＬディスプレイ装置が置かれる環境における明るさに応じて、自動的に輝度を変更するように構成されるものがある（例えば、特許文献２参照）。例えば、車載装置に搭載された有機ＥＬディスプレイ装置では、昼間など明るい環境では表示が視認されやすくなるように輝度を上げ、夜間など暗い環境では視認者にまぶしく感じさせないように輝度を下げる。輝度を変化させるには、有機ＥＬ素子を流れる電流、すなわち陽極ドライバから陽極に流れ込む電流を変化させればよい。電流を変化させる場合、電流値を変化させるＰＨＭ（Pulse Height Modulation ）を用いてもよいし、一定値の電流を流す期間を変えるＰＷＭ（Pulse Width Modulation）によってもよい。なお、２段階に限らず他段階に輝度を変化させるように構成されることもある。
【０００８】
【特許文献１】特開平１１−１４３４２９号公報（段落００３２−００３３、図１）
【特許文献２】特開２００１−１７６６５９号公報（段落０００２、００１７−００１９、図４、図５）
【発明の開示】
【発明が解決しようとする課題】
【０００９】
プリチャージ期間において陽極に印加される定電圧すなわちプリチャージ電圧は、選択期間（プリチャージ期間を除く。）における駆動電圧（陽極ドライバの出力電圧）と等しい値に設定されていることが好ましい。しかし、有機ＥＬ素子に流れる電流が変わると有機ＥＬ素子に対する駆動電圧も変化する。従って、輝度を自動的に変化させる機能を有する有機ＥＬディスプレイ装置では、選択期間における駆動電圧が変化することがある。よって、プリチャージ電圧を常に一定にしておくと、プリチャージ電圧と選択期間（プリチャージ期間を除く。）における駆動電圧とが等しくならない場合がある。その場合、例えば、選択期間（プリチャージ期間を除く。）における駆動電圧に対してプリチャージ電圧が高い場合には、プリチャージ電圧が過大になることから、輝度が所望の輝度よりも高くなる可能性がある。また、選択期間（プリチャージ期間を除く。）における駆動電圧に対してプリチャージ電圧が低い場合には、プリチャージ電圧が不足することから、輝度が所望の輝度よりも低くなる可能性がある。
【００１０】
従って、例えば、夜間などの暗い環境において、昼間などの明るい環境である場合に対して所定の割合になるように輝度を下げるように電流を制御したときに、実際の輝度が、目標とする所定の割合からずれる可能性がある。換言すれば、輝度調整のリニアリティが低下する。すなわち、ある目標の輝度にするために有機ＥＬ素子に流れる電流の値を所定値に変更しても、実際に得られる輝度が、所定値の電流の値に応じた輝度からずれてしまう。
【００１１】
そこで、本発明は、プリチャージ駆動によって寄生容量を充電する機能を有し、かつ、周囲環境等に応じて輝度を調整する機能を有する有機ＥＬディスプレイ装置の駆動装置において、高いリニアリティで輝度調整できるようにすることを目的とする。
【課題を解決するための手段】
【００１２】
本発明による有機ＥＬディスプレイ装置の駆動装置は、複数の陽極と複数の陰極とが交差するように配置され、その交差部分のそれぞれが有機ＥＬ素子を有する画素とされた有機ＥＬディスプレイ装置を単純マトリクス駆動法によって駆動し、選択期間における初期の所定期間または選択期間に先立つ所定期間に少なくとも点灯画素に接続された陽極にプリチャージ電圧を印加し、有機ＥＬ素子に流れる電流を制御することによって有機ＥＬディスプレイ装置の輝度を調整する駆動装置であって、目標とする輝度に応じて有機ＥＬ素子に流す電流に応じてプリチャージ電圧を設定するプリチャージ電圧設定手段（例えば、Ｄ−Ａ変換回路１５およびプリチャージ電圧生成回路１６で実現される。）を備えたことを特徴とする。
【００１３】
プリチャージ電圧設定手段は、プリチャージ電圧を、輝度に応じて有機ＥＬ素子に流す電流に応じた駆動電圧に等しくするように制御する。
【００１４】
プリチャージ電圧設定手段は、有機ＥＬ素子に流す電流に応じて駆動電圧がリニアに変化するように、有機ＥＬ素子に流す電流に応じてプリチャージ電圧を設定するように構成されていてもよい。そのような構成によれば、駆動装置に回路構成を簡略化できる。
【発明の効果】
【００１５】
本発明によれば、有機ＥＬ素子に流す電流に応じてプリチャージ電圧を設定するので、プリチャージ駆動によって寄生容量を充電する機能を有し、かつ、周囲環境等に応じて輝度を調整する機能を有する有機ＥＬディスプレイ装置の駆動装置において、高いリニアリティで輝度調整ができるようになる。
【発明を実施するための最良の形態】
【００１６】
以下、本発明の実施の形態を図面を参照して説明する。
図１は、本発明による有機ＥＬディスプレイ装置の駆動装置の一例を有機ＥＬパネル１０および駆動装置の外に存在するＭＰＵ（Micro Processing Unit）４０とともに示すブロック図である。
【００１７】
有機ＥＬディスプレイ装置の駆動装置は、コントローラ１３、走査電極ドライバ１１、信号電極ドライバ１２、電源回路１４、Ｄ−Ａ変換回路１５およびプリチャージ電圧生成回路１６を含む。
【００１８】
ＭＰＵ４０は、駆動装置に対して表示データを出力する。表示データは、コントローラ１３に内蔵されているメモリ１３ａに格納される。有機ＥＬパネル１０は、複数の走査電極と複数の信号電極とで有機薄膜が挟持された構造を有する。各走査電極と各信号電極とは、有機薄膜を挟んで交差するように（具体的には、直交するように）配置される。各走査電極と各信号電極との交差部分が有機ＥＬ素子を有する画素となる。各画素において、信号電極側から走査電極側に電流が流れることにより、その画素の有機薄膜が発光する。
【００１９】
なお、この実施の形態では、走査電極が陰極であって、信号電極が陽極であるとする。また、有機ＥＬパネル１０内で延伸する配線を走査電極配線および信号電極配線とし、走査電極配線が有機ＥＬパネル１０の端部において走査電極に接続され、信号電極配線が有機ＥＬパネル１０の端部において信号電極に接続されると定義されることもあるが、ここでは、有機ＥＬパネル１０内で延伸する配線を走査電極および信号電極と定義する。
【００２０】
コントローラ１３は、所定のタイミングで、メモリ内の表示データに応じたデータ（Ｄａｔａ）を信号電極ドライバ１２に出力する。また、コントローラ１３は、信号電極ドライバ１２に対して、クロックパルス（ＣＰ）とラッチパルス（ＬＰ）をタイミング信号として出力する。信号電極ドライバ１２は、ＬＰを用いて、入力された１行分のＤａｔａをラッチする。
【００２１】
また、コントローラ１３は、走査電極ドライバ１１に対して、１フレームの開始を示すＦＬＭ（ファーストラインマーカ）および駆動する走査電極（選択行）の切替を示すＬＰをタイミング信号として出力する。
【００２２】
また、信号電極ドライバ１２は、それぞれの信号電極に対応した定電流回路を有し、ＬＰの入力に応じて、既にラッチされているＤａｔａに応じて、定電流回路からの定電流を信号電極に供給したり、信号電極に接地電位Ｖｓｓを与えたりする。すなわち、点灯を示すＤａｔａに対応する信号電極に定電流を流し、消灯を示すＤａｔａに対応する信号電極に接地電位Ｖｓｓを与える。
【００２３】
電源回路１４は、電源電圧ＶＣＣを、接地電位ＶＳＳとともに信号電極ドライバ１２およびプリチャージ電圧生成回路１６に供給する。また、非選択電圧ＶＣＯＭＨを、接地電位ＶＳＳとともに走査電極ドライバ１１に供給する。
【００２４】
さらに、コントローラ１３は、Ｄ−Ａ変換回路１５および信号電極ドライバ１２に対して、輝度を表すデータであるｌａｄｊ（電流設定値）を出力する。Ｄ−Ａ変換回路１５は、ｌａｄｊをアナログ信号に変換し、アナログ信号をプリチャージ電圧生成回路１６に出力する。この実施の形態では、プリチャージ電圧生成回路１６は、電源電圧ＶＣＣを元にプリチャージ電圧ＶＰを生成する。すなわち、電源電圧ＶＣＣを、アナログ信号の振幅（ｌａｄｊの値に相当）に応じた値に変換し、変換した値の電圧をプリチャージ電圧ＶＰとして信号電極ドライバ１２に供給する。
【００２５】
図２は、信号電極ドライバ１２の構成例を有機ＥＬパネル１０の一部とともに示す回路図である。図２には、有機ＥＬパネル１０において１本の走査電極８１のみが示されている。また、各画素がダイオードとキャパシタの並列体で示されている。ＳＥＧｉ（ｉ＝１〜ｎ）はｉ番目の信号電極を示し、ＣＯＭｘはｘ番目の走査電極を示す。各走査電極には、切替回路１９の制御によって、選択電圧としての接地電位ＶＳＳまたは非選択電圧としてのＶＣＯＭＨが印加される。例えば、切替回路１９は、ＦＬＭが入力されると、入力されるＬＰの数のカウントを開始し、カウント値が示す行の走査電極に選択電圧を印加し、他の走査電極に非選択電圧を印加する。
【００２６】
各信号電極ＳＥＧｉ（ｉ＝１〜ｎ）に対応して設けられている定電流回路１２ｉ（ｉ＝１〜ｎ）は、コントローラ１３から入力されたｌａｄｊが示す輝度に応じた電流を出力する。定電流回路１２ｉと信号電極ＳＥＧｉとの間には、スイッチ１８ｉ（ｉ＝１〜ｎ）が設けられている。各スイッチ１８ｉの接続状態は、切替回路１７によって制御される。
【００２７】
また、切替回路１７には、ＣＰ、ＬＰおよびＤａｔａが入力される。切替回路１７は、ＬＰがオン状態になってから所定数のＣＰが入力されるまでの間、点灯画素（選択期間においてオンする画素）に接続された信号電極ＳＥＧｉにプリチャージ電圧ＶＰが印加されるようにスイッチ１８ｉを制御する。所定数のＣＰが入力されるまでの間がプリチャージ期間に相当する。所定数は、有機ＥＬパネル１０の特性などに応じて決定される。なお、切替回路１７は、点灯画素をＤａｔａによって知ることができる。また、この実施の形態では、点灯画素に接続された信号電極ＳＥＧｉにのみプリチャージ電圧ＶＰを印加するが、特許文献１に記載されているように全ての信号電極ＳＥＧｉにプリチャージ電圧ＶＰを印加するようにしてもよい。
【００２８】
切替回路１７は、プリチャージ期間が終了すると、Ｄａｔａに応じてスイッチ１８ｉを制御する。すなわち、Ｄａｔａが点灯を示している画素に対応した信号電極ＳＥＧｉに定電流回路１２ｉの出力が接続され、Ｄａｔａが消灯を示している画素に対応した信号電極ＳＥＧｉに接地電位ＶＳＳが印加されるように、スイッチ１８ｉを設定する。
【００２９】
図３は、輝度調整とプリチャージ電圧との関係を示す説明図である。なお、電流設定値ｌａｄｊは信号電極ドライバ１２から信号電極ＳＥＧｉに流される電流値に比例した値であるとする。すなわち、例えば、電流設定値ｌａｄｊの値がある値の２倍になると、ｌａｄｊの値がある値であるときに流れていた電流の２倍の電流を流せるように定電流回路１２ｉが構成されている。有機ＥＬ素子の輝度は、定電流回路から流れ込む電流に比例する。電流設定値ｌａｄｊは定電流回路が流す電流値に比例するので、図３（Ａ）に示すように、有機ＥＬ素子の輝度は、電流設定値ｌａｄｊに比例する。
【００３０】
有機ＥＬディスプレイ装置における有機ＥＬ素子に求められる輝度に応じて、有機ＥＬ素子（具体的には画素）に流れる電流値、すなわち信号電極ＳＥＧｉに流れる電流値が制御されるのであるが、電流値が変わると有機ＥＬ素子の駆動電圧（信号電極ドライバ１２すなわち陽極ドライバの出力電圧）も変わることは既に述べた。
【００３１】
有機ＥＬ素子に流れる電流値が低下していくと、ある電流値までは電流値の減少にほぼ比例して駆動電圧Ｖｄも低下するのであるが、有機ＥＬ素子はダイオード特性を有するので、有機ＥＬ素子に流れる電流値が、ある電流値よりも小さくなると、駆動電圧Ｖｄの低下の度合いが高くなる（図３（Ｂ）における破線参照）。図３（Ｂ）において、破線は駆動電圧Ｖｄを示し、実線はプリチャージ電圧ＶＰを示す。図３（Ｂ）において破線と実線とは離れているが、それは単に図面を見やすくするためであって、Ｐ点よりも上の領域では、プリチャージ電圧ＶＰが、駆動電圧Ｖｄと等しくなるように制御される。
【００３２】
なお、この実施の形態では、電流設定値ｌａｄｊは有機ＥＬ素子に流れる電流値に比例するように設定されるので、図３（Ｂ）では、横軸は電流設定値ｌａｄｊで表されているが、横軸は有機ＥＬ素子に流れる電流値に相当する値を表しているともいえる。
【００３３】
プリチャージ電圧ＶＰは駆動電圧Ｖｄと等しいことが好ましいので、選択期間（プリチャージを除く。）における駆動電圧Ｖｄを実際に測定し、測定結果に応じてプリチャージＶＰを制御するように駆動装置を構成することが好ましいが、そのように構成したのでは、駆動装置の回路規模が大きくなってしまうおそれがある。そこで、この実施の形態では、有機ＥＬ素子の駆動電圧Ｖｄは、常に、流れる電流値に比例すると仮定して制御を行う。つまり、図３（Ｂ）におけるＰ点の電流値以下でも、駆動電圧Ｖｄは流れる電流値に比例すると仮定する。
【００３４】
そして、そのように仮定に従ってプリチャージ電圧ＶＰを制御する。その場合、図３（Ｂ）においてＰ点よりも電圧が高い部分は、プリチャージ電圧ＶＰを駆動電圧Ｖｄと等しくすることができる。しかし、Ｐ点よりも電圧が低い部分では、有機ＥＬ素子のダイオード特性によって、上記の仮定にもとづくプリチャージ電圧ＶＰが駆動電圧Ｖｄからずれる。しかしながら、そのような領域は、そもそも電流値が不足することから有機ＥＬ素子が発光せず、実用的には、電流値に対して駆動電圧Ｖｄがリニアに変化する領域で有機ＥＬ素子が用いられる。すなわち、有機ＥＬ素子の駆動電圧Ｖｄは、常に、流れる電流値に比例すると仮定しても、実用上問題はない。
【００３５】
なお、図３（Ｂ）におけるＰ点に相当する電圧よりも高い領域では駆動電圧Ｖｄが流れる電流値に常に比例するという仮定からずれるような有機ＥＬ素子を用いた有機ＥＬディスプレイ装置を駆動する場合には、選択期間（プリチャージを除く。）における駆動電圧Ｖｄを実際に測定し測定結果に応じてプリチャージＶＰをダイナミックに設定するように駆動装置を構成したり、流れる電流値−駆動電圧の特性をあらかじめ測定し測定結果にもとづいてプリチャージＶＰを設定するように駆動装置を構成したりすることが考えられる。
【００３６】
次に、図４のタイミング図を参照して駆動装置の動作を説明する。図４には、全点灯、すなわち有機ＥＬディスプレイ装置の全画面が点灯される場合が例示されている。
【００３７】
コントローラ１３は、図４に示すように、１フレームの開始時に、ＦＬＭを、走査電極ドライバ１１に対して出力する。走査電極ドライバ１１は、ＦＬＭが入力されると、第１行（ここではＣＯＭ１に対応）から順に、各行すなわち各走査電極に、選択期間において選択電圧を印加する。選択期間は、１つのＬＰが出力されてから、次のＬＰが出力するまでの期間に相当する。
【００３８】
コントローラ１３は、信号電極ドライバ１２に対してＣＰ、ＬＰおよびＤａｔａを出力する。コントローラ１３は、Ｄａｔａで、各画素のデータを１画素分ずつ信号電極ドライバ１２に出力する。信号電極ドライバ１２は、ＣＰによってＤａｔａを取り込むとともに、内部で、Ｄａｔａをシフトする。そして、ＬＰが入力されると、シフトされたＤａｔａをラッチし、ラッチしたＤａｔａに応じて各定電流回路を駆動する。なお、走査電極ドライバ１１がＬＰに応じて第ｉ行目（ｉは１〜最終行数のいずれか）に対して選択電圧を印加するときには、信号電極ドライバ１２は、その直前の選択期間において取り込んだＤａｔａにもとづいて各定電流回路を駆動する。また、図２に例示した構成では、シフト機能およびラッチ機能は、切替回路１７に設けられている。
【００３９】
また、コントローラ１３は、目標とする輝度に応じた値のｌａｄｊを信号電極ドライバ１２およびＤ−Ａ変換回路１５に出力する。図４では、Ｑのタイミング以前の前半のフレーム（走査電極ドライバ１１が全ての走査電極について１回ずつ選択する場合の最初の走査電極の選択開始から最後の走査電極の選択終了までの期間）ではａという値の電流設定値ｌａｄｊが出力され、そのフレームの次のフレーム開始（図４におけるＱ点に相当）からｂという値の電流設定値ｌａｄｊが出力されることが例示されている。
【００４０】
プリチャージ電圧生成回路１６は、Ｄ−Ａ変換回路１５がアナログ変換したｌａｄｊの値に応じた値の電圧をプリチャージ電圧ＶＰとして信号電極ドライバ１２に供給する。信号電極ドライバ１２は、既に説明したように、各選択期間における初期の所定期間において、有機ＥＬパネル１０における少なくとも点灯画素に接続された信号電極ＳＥＧｉにプリチャージ電圧ＶＰを印加する。なお、図４には、各選択期間における最後の所定期間において、寄生容量の放電を目的として各信号電極ＳＥＧｉが接地電位ＶＳＳに接続される制御例が示されているが、そのような所定期間を設けなくてもよい。
【００４１】
図４に示す例では、コントローラ１３は、Ｑ点のタイミングで、有機ＥＬパネル１０の輝度を変えるために、電流設定値ｌａｄｊをａからｂに変更する。よって、プリチャージ電圧生成回路１６は、電流設定値ｌａｄｊがａである場合のプリチャージ電圧ＶＰの値を、電流設定値ｌａｄｊがｂである場合のプリチャージ電圧ＶＰの値に変更する。図３に例示したように、電流設定値ｌａｄｊがｂである場合のプリチャージ電圧ＶＰの値は、電流設定値ｌａｄｊがａである場合のプリチャージ電圧ＶＰの値よりも低い。また、いずれのプリチャージ電圧ＶＰの値も、電流設定値ｌａｄｊに応じた値の電流が有機ＥＬ素子に流れる場合の駆動電圧Ｖｄに等しい。従って、図４において、Ｑ点以降の場合も、プリチャージ電圧ＶＰを駆動電圧Ｖｄに一致させることができる。
【００４２】
以上に説明したように、プリチャージ電圧生成回路１６は、輝度に応じた電流設定値ｌａｄｊに応じてプリチャージ電圧ＶＰを設定するので、プリチャージ電圧ＶＰを駆動電圧Ｖｄと等しくすることが可能になる。よって、有機ＥＬパネル１０の輝度が所望の輝度よりも高くなったり、有機ＥＬパネル１０の輝度が所望の輝度よりも低くなることを防止できる。すなわち、輝度調整のリニアリティを維持することができる。
【産業上の利用可能性】
【００４３】
本発明による駆動装置を、例えば、周囲の明るさに応じての輝度を自動的に変える車載用の有機ＥＬディスプレイ装置などを駆動するものとして好適に適用することができる。
【図面の簡単な説明】
【００４４】
【図１】本発明による有機ＥＬディスプレイ装置の駆動装置の一例を示すブロック図。
【図２】信号電極ドライバの構成例を示す回路図。
【図３】輝度調整とプリチャージ電圧との関係を示す説明図。
【図４】有機ＥＬディスプレイ装置の駆動装置の動作を説明するためのタイミング図。
【符号の説明】
【００４５】
１０  有機ＥＬパネル
１１  走査電極ドライバ
１２  信号電極ドライバ
１３  コントローラ
１４  電源回路
１５  Ｄ−Ａ変換回路
１６  プリチャージ電圧生成回路
【図１】
2006308616.tif 000003
【図２】
2006308616.tif 000004
【図３】
2006308616.tif 000005
【図４】
2006308616.tif 000006